(57)【要約】【課題】柔軟でファッション性に富み、表面に格子状の織模様を付けると共に、一重織ガーゼ部分で、軽さと通気性を与え、二重織ガーゼ部分で空気を保有し、柔軟で軽くて、暖かさを保有し、且つ、ファッション性に富むガーゼ織物を提供することを課題とする。【解決手段】１重織ガーゼ組織１と多重織ガーゼ組織２からなるガーゼ織物であり、前記多重織ガーゼ組織２は、縞模様を形成しており、１重織ガーゼ組織１と多重織ガーゼ組織２が一体組織で接結されていることを特徴とするガーゼ織物。【選択図】図１
0003180067.tif 000002
【実用新案登録請求の範囲】
【請求項１】
１重織ガーゼ組織１と多重織ガーゼ組織２からなるガーゼ織物であり、前記多重織ガーゼ組織２は、縞模様を形成しており、１重織ガーゼ組織１と多重織ガーゼ組織２が一体組織で接結されていることを特徴とするガーゼ織物。
【請求項２】
縞模様が、少なくともたて縞、よこ縞または格子縞のいずれかである請求項１に記載のガーゼ織物。
【請求項３】
多重織ガーゼ組織が２重織ガーゼ組織である請求項１または２に記載のガーゼ織物。
【請求項４】
縞の幅が５〜１００ｍｍである請求項１乃至３のいずれかに記載のガーゼ織物。
【請求項５】
織物のたて長さ方向に、１０〜１００ｍｍの間隔をあけて、よこ糸に伸縮糸が挿入されている請求項１乃至４のいずれかに記載のガーゼ織物。
【考案の詳細な説明】
【技術分野】
【０００１】
本考案は生活資材、殊に、ショール、マフラー、ストール、アームカバー及びネックカバー用に好適なガーゼ織物に関する。
【背景技術】
【０００２】
従来、ガーゼ組織で織成された織物は、ガーゼタオルやガーゼハンカチ、マフラー等の布製身の回り品に多用されている。
【０００３】
従来のガーゼ織物の例としては、例えば実用新案登録第３１６５５６８号公報の例がある。これは、平織りを基本とした３層構造ガーゼ織物であり、これの中層に嵩高糸が挿入されており、裏側層や中間層の色糸の影響をあまり受けず、表側や裏側の模様をそれぞれ独立して表し得るガーゼ織物である。
【０００４】
また、従来のガーゼ織物の例として、例えば実用新案登録第３１２４６２３号公報の例がある。これは、ガーゼの柔軟性にふくよかさを加えた３層構造ガーゼ織物で、表面に趣味を満足させるための織り柄を付けるとともに、ちりめん状の性質を与えて触感を良好とした折り柄付ちりめん状３層ガーゼ織物である。
【０００５】
しかしながら、１重織ガーゼ組織と多重織ガーゼ組織を組み合わせて織模様を形成し、一体組織で連結製織したガーゼ織物は知られていない。
【先行技術文献】
【特許文献】
【０００６】
【特許文献１】実用新案登録第３１６５５６８号公報
【特許文献２】実用新案登録第３１２４６２３号公報
【考案の概要】
【考案が解決しようとする課題】
【０００７】
本考案は、柔軟でファッション性に富み、表面に縞模様を付けると共に、１重織ガーゼ部分で、軽さと通気性を与え、多重織ガーゼ部分、好ましくは２重織ガーゼ部分で空気を保有し、柔軟で軽くて、保温機能を有し、且つ、デザイン、ファッション性に富むガーゼ織物を提供することを課題とする。
【課題を解決するための手段】
【０００８】
本考案は、１重織ガーゼ組織１と多重織ガーゼ組織２からなるガーゼ織物であり、前記多重織ガーゼ組織２は、縞模様を形成しており、１重織ガーゼ組織１と多重織ガーゼ組織２が一体組織で接結されていることを特徴とするガーゼ織物である。
【０００９】
縞模様が、少なくともたて縞、よこ縞または格子縞のいずれかであることが好ましい。
【００１０】
多重織ガーゼ組織が２重織ガーゼ組織であることが好ましい。
【００１１】
縞の幅が５〜１００ｍｍであることが好ましい。
【００１２】
織物のたて長さ方向に、１０〜１００ｍｍの間隔をあけて、よこ糸に伸縮糸が挿入されているものが好ましい。
【考案の効果】
【００１３】
本考案のガーゼ織物は、通気性が良く、軽くて、保温性に優れ、柔らかくて優しい肌触りは、一度使えば手放せない効果がある。特に、保温効果、とデザインが優雅でファッション性に優れる。洗濯後の水きり乾燥が速いのも特徴の一つである。尚、前記する、効果は、何回使用しても衰えず持続が可能である。
【図面の簡単な説明】
【００１４】
【図１】本考案の実施例１で得られたガーゼ織物の見取り図である。
【図２】本考案の実施例１の織物組織図である。
【図３】本考案の実施例１の織物の織前から見た断面図を示す。
【図４】本考案の実施例２の織物組織図である。
【図５】本考案の実施例２の織物の織前から見た断面図を示す。
【考案を実施するための形態】
【００１５】
本考案のガーゼ織物は、１重織ガーゼ組織１と多重織ガーゼ組織２、好ましくは２重織ガーゼ組織が一体組織で接結されたガーゼ織物であり、縞模様部分が多重織ガーゼ組織２で形成されている。
【００１６】
本考案で言う多重織は２重以上であれば何重でもよいが、重ね数が大きくなると、織物の手触りに影響がでてくるので、好ましくは、２乃至４重が良い。
【００１７】
縞模様は、少なくとも、たて縞、よこ縞または格子縞のいずれかであることが好ましい。
【００１８】
縞模様が格子縞に形成されている場合、格子縞は、多重織ガーゼ組織２で形成され、複数のたての線とよこの線が交差した状態に形成されている。
【００１９】
縞の幅は、好ましくは５〜１００ｍｍ、更に好ましくは１０〜５０ｍｍ、特に１５〜３０ｍｍとするのが良い。
【００２０】
格子縞の方眼の中は１重織ガーゼ組織１で形成されている。
【００２１】
格子の方眼の大きさは、１辺が好ましくは１０〜１００ｍｍ、更に好ましくは２０〜８０ｍｍ、特に３０〜６０ｍｍとするのが良い。
【００２２】
さらに、織物のたて長さ方向に、１０〜１００ｍｍ、好ましくは１５〜８０ｍｍ、特に２０〜５０ｍｍの間隔をあけて、よこ糸に伸縮糸が挿入されている形態が好ましい。
【００２３】
前記織物のたて長さ方向に、１０〜１００ｍｍ、好ましくは１５〜８０ｍｍ、特に２０〜５０ｍｍの間隔をあけて、よこ糸に伸縮糸が挿入されている形態の場合は、織物に伸縮糸の収縮力が部分的に働くので、例えば、アームカバーやネックカバー用途に好適に用いることができる。
【００２４】
よこ糸として挿入する伸縮糸の打ち込み本数は、１本以上複数本でもよいが、あまり多く打ち込むと織物の形態、ならびにファッション性に影響がでてくるので、２，３本とするのが良い。
【００２５】
伸縮糸としては、ストレッチ性を保持する糸であれば、特に限定するものではないが好ましくはポリウレタン弾性糸がよい。
【００２６】
本考案のガーゼ織物に用いるよこ糸および地たて糸は、綿、レーヨン、麻、ウール、絹、アクリル、ポリエステル、ナイロン、ポリエチレン素材からなる糸が用いられる。これらの素材は、とくに限定されることなく、使用目的・用途に応じて、適宜選択が可能であるが、特に、ショール、アームカバー、ネックカバー、ストール等に用いる場合にあっては、綿、麻、絹およびオーガニックコットンが良い。
【実施例】
【００２７】
（実施例１）
タオル織機を用い、二重ビーム（パイルビーム、グランドビーム）、綜絖（ヘルドともいう）枠数１４枚を用いて図２に示す組織図に基づいて織成した。
【００２８】
図１は、実施例１で得られたガーゼ織物であり、平織りで形成された１重織ガーゼ組織と２重織ガーゼ組織で格子縞模様が形成され一体組織で接結製織されたガーゼ織物を示す。
【００２９】
図２は、実施例１の織物組織図を示す。たての１〜４の数字は、よこ糸ピック数を示す。よこの１〜１４の数字は綜絖枠数を示す。Ｐはパイル糸、Ｇはグランド糸を示す。Ａは上げる、Ｓは沈む、を示す。
【００３０】
図３は、同実施例１のタオル織物の織前から見た断面図を示す。
【００３１】
（実施例２）
タオル織機を用い、二重ビーム（パイルビーム、グランドビーム）、綜絖（ヘルドともいう）枠数１４枚を用いて図４に示す組織図に基づいてガーゼ織物を織成した。
【００３２】
図４は、実施例２の織物組織図を示す。たての１〜４の数字は、緯糸ピック数を示す。よこの１〜１４の数字は綜絖枠数を示す。Ｐはパイル糸、Ｇはグランド糸を示す。Ａは上げる、Ｓは沈む、を示す。
【００３３】
図５は、実施例２のタオル織物の織前から見た断面図を示す。
【産業上の利用可能性】
【００３４】
軽量で、ふんわりとした感触を持つ。発汗放出、保温、吸水性も高い。また、通気性が良く、保温性も十分兼ね備えており、家庭用洗濯機で洗濯した場合、脱水時間が短く、乾燥が早いのも特徴の一つである。ガーゼ組織であるので、肌触りが良く、柔らかいのが特徴であり、特に、マフラー、ストール、アームカバー、ネックカバー、ショールに好適なガーゼ織物が提供できる。
【符号の説明】
【００３５】
１：１重織ガーゼ組織
２：多重織ガーゼ組織
【図２】
0003180067.tif 000003
【図３】
0003180067.tif 000004
【図４】
0003180067.tif 000005
【図５】
0003180067.tif 000006
【図１】
0003180067.tif 000007